(57)【要約】【課題】非常に簡単な構成でセンサの動作範囲の設定調整が行えるとともに、非常に効率よく動作範囲の設定調整を行うことができるセンサの動作範囲設定方法を実現することを目的とする。【解決手段】コンパレータ４の出力を見ながら複数の抵抗の少なくとも１つをトリミングしてセンサの動作範囲を所定範囲内に収める作業において、実際にマグネットをセンサの前で移動させることなく、回路的に擬似的な状態を作り出すことにより、センサの動作範囲を所定範囲内に収めることを特徴とするものである。この構成により、大掛かりな装置を組み立てることなく、また個片化することなくシート状態で設定調整を行うことができるものである。【選択図】　図１
2004020466.tif 000002
【特許請求の範囲】
【請求項１】
マグネットとの位置関係に応じて動作するセンサの動作範囲設定方法であって、前記センサは、前記マグネットとの位置関係に応じて反応する磁気抵抗素子と、前記磁気抵抗素子の分圧電圧と基準電圧を複数の抵抗で分圧した分圧電圧とを比較するコンパレータとを有し、前記コンパレータの出力を見ながら前記複数の抵抗の少なくとも１つをトリミングして前記センサの動作範囲を所定範囲内に収める際に、実際にマグネットを移動させることなく回路的に擬似的な状態を作り出してセンサの動作範囲を所定範囲内に収めることを特徴とするセンサの動作範囲設定方法。
【請求項２】
磁気抵抗素子の分圧点にセンサの設定調整装置側に設けられた外部抵抗はコンタクトピンを介して接続するとともに、前記外部抵抗が接続された際にその分圧電圧が、マグネットが前記磁気抵抗素子に近づいてＯＮ状態を作り出すときの電圧となるように、前記外部抵抗の抵抗値を設定することを特徴とする請求項１記載のセンサの動作範囲設定方法。
【請求項３】
コンパレータのそれぞれの入力ラインに設けられた第１のテストランドと第２のテストランドとの電位差を見ながら粗調整のトリミングを行い、所定の電位差になった後、前記コンパレータの出力値を見ながら微調整のトリミングを行うことを特徴とする請求項２記載のセンサの動作範囲設定方法。
【発明の詳細な説明】
【０００１】
【発明の属する技術分野】
本発明は、シリンダ内を移動するピストンの位置検出等に用いられるセンサの動作範囲設定方法に関するものである。
【０００２】
【従来の技術】
従来、一般にこの種のセンサは、図３に示されるような回路構成を有するものであった。ここでは、特にシリンダ内を移動するピストンの位置検出等に用いられるシリンダセンサを例にとって説明する。
【０００３】
図において、１はシリンダ（図示せず）内を移動するピストン（図示せず）の外周部に設けられたマグネット（図示せず）との位置関係に応じて反応する磁気抵抗素子であり、２はシリンダセンサとしての動作範囲を所定範囲内に収める際に用いられるトリミング可能な抵抗素子であり、３は固定された抵抗素子である。また４は磁気抵抗素子１の分圧電圧と基準電源回路５で生成される基準電圧を抵抗素子２と抵抗素子３とで分圧された分圧電圧とを比較するためのコンパレータであり、６はコンパレータ４の結果に基づき発光する発光ダイオードである。なお、７〜９はそれぞれ電源端子、出力端子、グランド端子であり、以上の全体構成によりシリンダセンサを成形している。
【０００４】
以上のような構成を有するシリンダセンサの動作範囲の設定方法であるが、図４のフローチャートに示されるように、個片化されたシリンダセンサを設定調整装置（図示せず）内にセットし（ＳＴＥＰ１）、そのシリンダセンサの前を実際にマグネットを１回通過させて（ＳＴＥＰ２）動作範囲を測定し（ＳＴＥＰ３）、あるターゲット内に達しているか否かを判定後（ＳＴＥＰ４）、達していない場合には上述したシリンダセンサに設けられた調整用の抵抗素子２をトリミングして（ＳＴＥＰ５）同様の工程を繰り返し行うことによりシリンダセンサの動作範囲をあるターゲット内に収めようと（ＳＴＥＰ６）するものであった。
【０００５】
【発明が解決しようとする課題】
しかしながら、上記従来の設定方法では、実際にマグネットをシリンダセンサの前で移動させる必要があるとともに、トリミングもそのようなセッティング状態で行う必要があるため、装置が非常に大掛かりなものになってしまうとともに、非常に作業性、生産性が悪いという課題を有するものであった。
【０００６】
本発明は、上記従来の課題を解決するためのものであり、非常に簡単な構成でセンサの動作範囲の設定調整が行えるとともに、非常に効率よく動作範囲の設定調整を行うことができるセンサの動作範囲設定方法を実現することを目的とする。
【０００７】
【課題を解決するための手段】
上記目的を達成するために本発明のセンサの動作範囲設定方法は、特にコンパレータの出力を見ながら複数の抵抗の少なくとも１つをトリミングしてセンサの動作範囲を所定範囲内に収める作業において、実際にマグネットをセンサの前で移動させることなく、回路的に擬似的な状態を作り出すことにより、シリンダセンサの動作範囲を所定範囲内に収めることを特徴とするものである。
【０００８】
この構成により、実際にマグネットをセンサの前で移動させるための装置を組み立てる必要がなくなるとともに、個片化することなくシート状態で設定調整を行うことができるため、非常に簡単な構成でセンサの動作範囲の設定調整が行えるとともに、非常に効率よく動作範囲の設定調整を行うことができるものである。
【０００９】
また、本発明は、特に磁気抵抗素子の分圧点にセンサの設定調整装置側に設けられた外部抵抗はコンタクトピンを介して接続するとともに、前記外部抵抗が接続された際にその分圧電圧が、マグネットが前記磁気抵抗素子に近づいてＯＮ状態を作り出すときの電圧となるように、前記外部抵抗の抵抗値を設定することを特徴とするものであり、これにより前記外部抵抗値を変えることにより、素早く設定調整状態を作り出すことができるものである。
【００１０】
また、本発明は、特にコンパレータのそれぞれの入力ラインに設けられた第１のテストランドと第２のテストランドとの電位差を見ながら粗調整のトリミングを行い、所定の電位差になった後、前記コンパレータの出力値を見ながら微調整のトリミングを行うことを特徴とするものであり、これにより設定調整時間の短縮が図れると共に精度向上することができるものである。
【００１１】
【発明の実施の形態】
以下に、本発明の一実施の形態におけるセンサの動作範囲設定方法について、図面を用いて説明する。図１は本発明の一実施の形態におけるセンサの構成を示す回路図であり、図２は同センサの動作範囲の設定方法を説明するためのフローチャートである。
【００１２】
図１において、１はマグネット（図示せず）との位置関係に応じて反応する磁気抵抗素子であり、２はシリンダセンサとしての動作範囲を所定範囲内に収める際に用いられるトリミング可能な抵抗素子であり、３は固定された抵抗素子である。また４は磁気抵抗素子１の分圧電圧と基準電源回路５で生成される基準電圧を抵抗素子２と抵抗素子３とで分圧された分圧電圧とを比較するためのコンパレータであり、６はコンパレータ４の結果に基づき発光する発光ダイオードである。また、以上の構成は従来例とほぼ同一の構成である。
【００１３】
ここで、本実施の形態の特徴は、磁気抵抗素子１の分圧点ａとコンパレータ４の入力との間に設けられた第１のテストランド１０にコンタクトピン（図示せず）を押し当てて、センサの設定調整装置（図示せず）側に設けられた外部抵抗１２を接続する点であり、この外部抵抗１２の抵抗値は、マグネットが磁気抵抗素子１に近づいてＯＮ状態を作り出すときの電圧になるように設定されている。
【００１４】
また、抵抗素子３とトリミング可能な抵抗素子２との分圧点ｂとコンパレータ４の入力との間に第２のテストランド１１が設けられており、第１のテストランド１０にコンタクトピンを押し当てる際に、別途第２のテストランド１１にも別のコンタクトピン（図示せず）を同時に押し当てることにより、分圧点ａと分圧点ｂとの電位差が測定可能に構成されている。なお、７〜９はそれぞれ電源端子、出力端子、グランド端子であり、以上の全体構成によりシリンダセンサを成形している。
【００１５】
以上のような構成を有するシリンダセンサの動作範囲の設定方法であるが、図２のフローチャートに示されるように、個片化することなくシート状態で設定調整装置（図示せず）内にセットし（ＳＴＥＰ１）、第１及び第２のテストランド１０，１１にそれぞれコンタクトピンを押し当てて外部抵抗１２が付加された状態での分圧点ａ，ｂ間の電位差を測定し（ＳＴＥＰ２）、その電位差がターゲット内（シリンダセンサの場合−２０〜−１０ｍＶ）に達しているか否かを判定後（ＳＴＥＰ３）、達していない場合抵抗素子２を粗調整のトリミングして（ＳＴＥＰ４）同様の工程を繰り返し行う。
【００１６】
ターゲット内に達した場合は、上記状態をキープしたまま出力端子８に別途コンタクトピンを押し当てて、出力端子８の電圧を測定し（ＳＴＥＰ５）、その電圧がターゲット内（シリンダセンサの場合０．１〜０．５Ｖ）に達しているか否かを判定後（ＳＴＥＰ６）、達していない場合抵抗素子２を微調整のトリミングして（ＳＴＥＰ７）同様の工程を繰り返し行うことにより、シリンダセンサの動作範囲をあるターゲット内に収めよう（ＳＴＥＰ８）とするものである。
【００１７】
以上のように、本実施の形態によれば、実際にマグネットをセンサの前で移動させることなく、回路的に擬似的な状態を作り出すことができるため、非常に簡単な構成によりセンサの動作範囲の設定調整が行えるとともに、個片化することなくシート状態で設定調整を行うことができるため、非常に効率よく動作範囲の設定調整が行えるものである。
【００１８】
【発明の効果】
以上の説明から明らかなように、本発明によれば、実際にマグネットをセンサの前で移動させるための装置を組み立てる必要がなくなるとともに、個片化することなくシート状態で設定調整を行うことができるため、非常に簡単な構成でセンサの動作範囲の設定調整が行えるとともに、非常に効率よく動作範囲の設定調整を行うことができるものである。
【図面の簡単な説明】
【図１】本発明の一実施の形態におけるセンサの構成を示す回路図
【図２】同センサの動作範囲の設定方法を説明するためのフローチャート
【図３】従来のセンサの構成を示す回路図
【図４】同従来センサの動作範囲の設定方法を説明するためのフローチャート
【符号の説明】
１　磁気抵抗素子
２　抵抗素子（トリミング）
３　抵抗素子（固定）
４　コンパレータ
５　基準電源回路
６　発光ダイオード
７　電源端子
８　出力端子
９　ＧＮＤ端子
１０　第１のテストランド
１１　第２のテストランド
１２　外部抵抗素子
【図１】
2004020466.tif 000003
【図２】
2004020466.tif 000004
【図３】
2004020466.tif 000005
【図４】
2004020466.tif 000006